(57)【要約】【課題】ドアが少し開かれた状態である場合に異物により動かされて開くことを回避するドアガード装置を提供する。【解決手段】固定座３１は、一方の面が壁面に固定されており、他方の面に二つの固定部３１１が凸設されており、二つの固定部３１１が第一間隔により隔てられている。ベース３３は、一方面が、少なくとも１つのヒンジにより壁面に開閉可能に設けられている板体に装設されており、他方の面に、湾曲して延伸している湾曲部３３１が設けられている。可動体３５は、スロット３５１を有するＵ字状に形成されており、両端が第二間隔により隔てられており、固定座３１の各固定部３１１に回転可能に設けられており、湾曲部３３１がスロット３５１の中に延入すると共にスロット３５１を貫通するよう、ベース３３側に回転する。留め金具部３７は、第一間隔および第二間隔より小さく形成されスロット３５１の幅より大きく形成されている。【選択図】図５
0003192731.tif 000002
【実用新案登録請求の範囲】
【請求項１】
一方の面が壁面に固定されており、他方の面に二つの固定部が凸設されており、二つの前記固定部が第一間隔により隔てられている固定座と、
一方面が、少なくとも１つのヒンジにより前記壁面に開閉可能に設けられている板体に装設されており、他方の面に、湾曲して延伸している湾曲部が設けられているベースと、
スロットを有するＵ字状に形成されており、両端が第二間隔により隔てられており前記固定座の各前記固定部に回転可能に設けられており、前記湾曲部が前記スロットの中に延入すると共に前記スロットを貫通するよう、前記ベース側に回転する可動体と、
前記第一間隔および前記第二間隔より小さく形成され前記スロットの幅より大きく形成されており、前記湾曲部が前記スロットに延入されるとき、一方の面が前記湾曲部の前記ベースから離れている一端に回転可能に設けられており、他方の面にストッパが凸設されており、前記ストッパが前記第一間隔および前記第二間隔の内の小さい間隔より長く形成されている留め金具部と、を備えることを特徴とするドアガード装置。
【請求項２】
前記湾曲部は、前記ストッパが前記可動体に対応する少なくとも何れか一端の位置まで動かされると、前記板体が開かれて前記湾曲部及び前記ベースが一方向に向いて変位し、前記留め金具部が前記スロットにより嵌合されることで、前記可動体と結合するよう形成されていることを特徴とする請求項１に記載のドアガード装置。
【請求項３】
前記湾曲部は、前記板体が閉められて前記ストッパが前記スロットの所定位置まで動かされるとき、前記可動体から離脱可能となるよう形成されていることを特徴とする請求項２に記載のドアガード装置。
【請求項４】
前記湾曲部は、前記ベースから離れる一端に第一組合せユニットが設置されており、
前記留め金具部は一方の面に第二組合せユニットが設置されており、
前記第二組合せユニットは前記第一組合せユニットに結合されていることを特徴とする請求項３に記載のドアガード装置。
【請求項５】
前記第一間隔は前記第二間隔より大きく形成されていることを特徴とする請求項４に記載のドアガード装置。
【請求項６】
前記第一間隔は前記第二間隔より小さく形成されていることを特徴とする請求項４に記載のドアガード装置。
【考案の詳細な説明】
【技術分野】
【０００１】
本考案は、ドアガード装置に関する。
【背景技術】
【０００２】
従来の住宅の門には差し錠を設置させて住宅の安全性を高めているが、現在の差し錠について説明すると、図１及び図２に示すように、差し錠１は壁面２１及びドア２２に装設され、ドア２２は通常１個以上のヒンジ２２１により壁面２１に固定され、ドア２２はユーザーにより開閉される。差し錠１は固定座１１及びベース１３を備え、固定座１１の後側面は壁面２１に固定され、前側面には２つの板体１１１が凸設され、これら板体１１１の間は第一間隔Ｌ１により隔てられる。また、固定座１１にはＵ字型を呈すると共にスロット１５１が形成される可動体１５が更に設けられ、その両端が第二間隔Ｌ２により隔てられると共に各板体１１１にそれぞれ枢設され、可動体１５を固定座１１に於いて回転させる。ベース１３の後側面はドア２２に固定されると共にヒンジ２２１から離れる位置に位置され、ベース１３の前側面には湾曲部１３１が延設され、湾曲部１３１のベース１３から離れる一端にはボール１３３が設けられ、ドア２２が閉扉状態であり且つ可動体１５がベース１３の方向に回転すると、湾曲部１３１はスロット１５１に延入して貫通させ、ボール１３３はこれら間隔Ｌ１及び間隔Ｌ２に収容される。
【考案の概要】
【考案が解決しようとする課題】
【０００３】
しかしながら、前述した従来の差し錠の技術では、図１及び図２に示すように、ボール１３３の大きさはこれら間隔Ｌ１及び間隔Ｌ２より小さいがスロット１５１のスロット幅よりは大きいため、可動体１５が完全に動かされずに湾曲部１３１から離れると、ユーザーがドア２２を開けた際にボール１３３がこれら間隔Ｌ１及び間隔Ｌ２の位置からスロット１５１に近接する位置まで滑動し、可動体１５が嵌合されてドア２２が動かせなくなり、不審者が家主の許可無く侵入し、ドア２２を押して強引に開けられるのを防ぐ。差し錠１は前述の安全性を有するが、但し本考案者は差し錠１には危険性（図２、図３及び図４の参照）が存在するのを発見した。ドア２２が僅かに開かれ且つボール１３３が可動体１５に当接していない場合、不審者が鉄片２５を壁面２１とドア２２との間（図３の参照）に延入させ可動体１５を動かすと、可動体１５はベース１３から離れる方向へ変位（図４に示すように、）してしまい、ボール１３３が可動体１５に嵌合されずにドア２２を完全に押し開ける事が可能になる。よって住宅の住民にとっての危険性が存在した。
【０００４】
上述の通りに、日増しに高まる安全性に対する懸念に対し、従来の差し錠は安全性を更に高める事は出来なかった。このため如何に有効的に前述の問題を解決させ、差し錠無が少し開かれた状態でも異物により可動体が動かされず、安全性を確保させるかは、多くの業者が正に現在努力重ね研究開発を進める重要な目標である。そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記問題解決のため、本考案は、ドアガード装置を提供することを主目的とする。換言すれば、ドアガード装置が僅かに開かれた状態でも、ドアガード装置が異物に動かされて開かないようにする。
本考案は、留め金具部を増設させ、異物により動かされ開くのを回避可能なドアガード装置を提供することにある。
【課題を解決するための手段】
【０００６】
上述した課題を解決し、目的を達成するために、本考案に係るドアガード装置は、固定座、ベース、可動体、及び留め金具部を備える。固定座は、一方の面が壁面に固定されており、他方の面に二つの固定部が凸設されており、二つの固定部が第一間隔により隔てられている。ベースは、一方面が、少なくとも１つのヒンジにより壁面に開閉可能に設けられている板体に装設されており、他方の面に、湾曲して延伸している湾曲部が設けられている。可動体は、スロットを有するＵ字状に形成されており、両端が第二間隔により隔てられており、固定座の各固定部に回転可能に設けられており、湾曲部がスロットの中に延入すると共にスロットを貫通するよう、ベース側に回転する。金具部は、第一間隔および第二間隔より小さく形成されスロットの幅より大きく形成されており、湾曲部がスロットに延入されるとき、一方の面が湾曲部のベースから離れている一端に回転可能に設けられており、他方の面にストッパが凸設されており、ストッパが第一間隔および第二間隔の内の小さい間隔より長く形成されている。
【０００７】
これにより、ユーザーが、板体を閉めると可動体がベースの他側面まで変位し、湾曲部をスロットに延入させた後、留め金具部を湾曲部のベースから離れる一端に枢設させ、ストッパを動かして可動体に嵌合させ、湾曲部と可動体とが結合するため、可動体は板体が少し開かれた状態であっても異物（例えば、小さい鉄片等）により動かされて湾曲部から離脱することはない。
【０００８】
さらに、本考案は、板体が閉められて、ストッパがスロットに対応する位置まで動かされると、留め金具部はこれらの間隔より小さく形成されているため湾曲部が可動体から離脱し、板体を完全に回転させて開かせる。このため、ユーザーはストッパの位置を調整させるのみで板体を開け、或いは板体が僅かに開いているよう保持する。
【０００９】
本考案によれば、ドアが僅かに開いた状態であっても、異物によりドアガード装置が動かされルことが抑制される。
【図面の簡単な説明】
【００１０】
【図１】従来のドアガード装置を示す模式図である。
【図２】従来のドアガード装置を示す上面の模式図である。
【図３】従来のドアガード装置を鉄片により押し出す第一状態を示す模式図である。
【図４】従来のドアガード装置を鉄片により押し出す第二状態を示す模式図である。
【図５】本考案の一実施形態によるドアガード装置を示す分解斜視図である。
【図６】本考案の一実施形態によるドアガード装置を示す斜視図である。
【図７】本考案の一実施形態によるドアガード装置の使用状態を示す模式図（一）である。
【図８】本考案の一実施形態によるドアガード装置の使用状態を示す模式図（二）である。
【考案を実施するための形態】
【００１１】
以下に図面を参照して、本考案の実施形態について、詳細に説明する。なお、本考案は、以下に説明する実施形態に限定されるものではない。
【００１２】
（一実施形態）
以下、本考案の一実施形態に係るドアガード装置を図５〜図８に基づいて説明する。ドアガード装置３は固定座３１、ベース３３、可動体３５、及び留め金具部３７を備える。固定座３１の一側面は壁面４１に固定され、他側面には第一間隔Ｒ１により隔てられる２つの固定部３１１が凸設される。ベース３３の一側面は板体４２に装設され、板体４２は少なくとも１つのヒンジ４２１により壁面４１に嵌め込まれ、ヒンジ４２１の枢設作用により板体４２は壁面４１で開閉する。また、ベース３３の他側面には湾曲部３３１が湾曲されて延伸され、本実施形態では、湾曲部３３１のベース３３から離れる一端には第一組合せユニット３３１１が設けられるが、本考案の他の実施形態では、業者は異なる製品の要求に合わせて第一組合せユニット３３１１の態様を変更可能である。
【００１３】
なお、可動体３５はＵ字型を呈すると共に両端は第二間隔Ｒ２により隔てられ、可動体３５にはスロット３５１が形成される。スロット３５１のスロット幅Ｒ３は第二間隔Ｒ２より小さく湾曲部３３１のスロット幅より大きい。なお、可動体３５の両端は固定座３１の各固定部３１１にそれぞれ枢設され、可動体３５がベース３３の方向に回転すると湾曲部３３１はスロット３５１中に延入されてスロット３５１を貫通させる。本実施形態では、第二間隔Ｒ２は第一間隔Ｒ１より小さいため、可動体３５の両端が各固定部３１１の内側面に枢設されるが、但し本考案の他の実施形態では、第二間隔Ｒ２を第一間隔Ｒ１より大きく設計させ、可動体３５の両端を各固定部３１１の外側面に枢設させてもよい。
【００１４】
さらに、留め金具部３７の一側面には第二組合せユニット３７０が設けられ、他側面にはストッパ３７１が凸設される。第二組合せユニット３７０は第一組合せユニット３３１１に連結され、留め金具部３７を湾曲部３３１のベース３３から離れる一端に枢設させる。なお、留め金具部３７の形状及び大きさはこれら間隔Ｒ１及び間隔Ｒ２より小さくスロット３５１のスロット幅Ｒ３より大きく、湾曲部３３１がスロット３５１に延入されると留め金具部３７はこれら間隔Ｒ１及び間隔Ｒ２に位置され、留め金具部３７及びストッパ３７１の長さはこれら間隔Ｒ１及び間隔Ｒ２の内の小さい間隔より長い。好適な実施の形態において、留め金具部３７及びストッパ３７１の長さは第二間隔Ｒ２より長いため、留め金具部３７が動かされて可動体３５に対応する何れか一端の位置まで変位すると、板体４２が開いており、湾曲部３３１及びベース３３が一方向に向け変位する（図７の参照）と、まず留め金具部３７の形状及び大きさがスロット３５１のスロット幅Ｒ３より大きいためにスロット３５１に嵌合され、湾曲部３３１が可動体３５から離脱しなくなり、板体４２はスロット３５１の長さの範囲内でのみ部分的に回転して開く。また、何者かが板体４２が少し開かれた状態で、異物（例えば、細い鉄片）を壁面４１と板体４２との間に延入させて可動体３５を動かすと、可動体３５はストッパ３７１に止められる。このため、可動体３５は湾曲部３３１から完全に離脱することなく、ドアガード装置３が不正な方法で開かないように有効的に保持させる。
【００１５】
図５乃至図８によれば、ユーザーが板体４２を完全に開く場合、ストッパ３７１をスロット３５１に対応する位置まで動かし（図８の参照）、留め金具部３７及びストッパ３７１のスロット幅がこれら間隔Ｒ１及び間隔Ｒ２より小さいため、ユーザーは可動体３５を動かして湾曲部３３１を可動体３５から離脱させ、板体４２を完全に回転させて開かせる事が出来る。上述した通りに、ユーザーが板体４２を閉めて可動体３５をベース３３の他側面まで変位させ、湾曲部３３１をスロット３５１に延入させた後、留め金具部３７のストッパ３７１を動かしてストッパ３７１を可動体３５に嵌合させると、板体４２が少し開かれた状態でも何者かが異物により可動体３５を動かそうとしてもストッパ３７１を動かせない。即ち、可動体３５は留め金具部３７に嵌合されているため湾曲部３３１から離脱しない。このほか、ユーザーが正常に板体４２を開きたい場合、ストッパ３７１をスロット３５１に対応する位置まで動かすのみで、可動体３５を湾曲部３３１から離脱させる事が出来る。このため、ユーザーは簡単な操作のみで（ストッパ３７１の位置を動かす）、異物によりドアガード装置３が不正に開かれるのを防止させ、ドアガード装置３の安全性を大幅に高めることができる。
【００１６】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１７】
３  ドアガード装置、
３１  固定座、
３１１  固定部、
３３  ベース、
３３１  湾曲部、
３３１１  第一組合せユニット、
３５  可動体、
３５１  スロット、
３７  留め金具部、
３７０  第二組合せユニット、
３７１  ストッパ、
４１  壁面、
４２  板体、
４２１  ヒンジ、
Ｒ１  第一間隔、
Ｒ２  第二間隔、
Ｒ３  スロット幅。
【図１】
0003192731.tif 000003
【図２】
0003192731.tif 000004
【図３】
0003192731.tif 000005
【図４】
0003192731.tif 000006
【図５】
0003192731.tif 000007
【図６】
0003192731.tif 000008
【図７】
0003192731.tif 000009
【図８】
0003192731.tif 000010